(57)【要約】【課題】軽量化した放熱構造すなわち放熱ユニットを提供することを目的とするものである。【解決手段】電子機器を構成する本体ケース５の一つの面に装着され、この本体ケース５の内部と外部を仕切る仕切り板７と、この仕切り板７の前記本体ケース５の外部側に配置される熱交換体８と、そのカバー９とを備えている。そして、熱交換体８を仕切り板７に取付ける時には、この熱交換体８を構成する温風路体１５間の通気空間１４からネジ止めを行う。【選択図】図７
2013115228.tif 000002
【特許請求の範囲】
【請求項１】
電子機器の一つの面に装着され、この電子機器の内部と外部を仕切る仕切り板と、この仕切り板の前記電子機器の外部側に配置される熱交換体とを備え、
前記仕切り板は、第一、第二の通気口を有し、
前記熱交換体は、前記仕切り板の前記電子機器の外部側において、前記第一の通気口に連結される第一の連通部と、前記第二の通気口に連結される第二の連通部と、前記仕切り板の前記電子機器の外部側において、前記第一の連通部と第二の連通部間を連結するとともに、通気空間をおいて併走された複数の温風路体と、前記仕切り板の電子機器内側の空気を、前記第一の通気口から前記温風路体内に導入し、第二の通気口から前記仕切り板の電子機器内側に排出する送風機とを有し、
前記第一の連通部は前記第一の通気口の外周方向に広がる第一のフランジを有し、
前記第二の連通部は前記第二の通気口の外周方向に広がる第二のフランジを有し、
前記第一のフランジと第二のフランジそれぞれの、前記第一、第二の通気口間部分で、前記併走された複数の温風路体間の通気空間に対応する部分には、この通気空間の前記仕切り板とは反対側から、前記熱交換体の固定操作を行う熱交換体固定部を設けた放熱ユニット。
【請求項２】
第一、第二の通気口の少なくとも一方は、これらの第一、第二の通気口間方向の開口寸法よりも、それに直行する方向の開口寸法を大きくした矩形状とした請求項１に記載の放熱ユニット。
【請求項３】
第一の通気口の第二の通気口側開口縁に、第一の長形係止片を設け、この第一の通気口の第一の係止片とは反対側の開口縁に、第一の短形係止片を設け、
第二の通気口の第一の通気口側開口縁に、第二の長形係止片を設け、この第二の通気口の第二の長形係止片とは反対側の開口縁に、第二の短形係止片を設けた請求項１または２に記載の放熱ユニット。
【請求項４】
第一の短形係止片は、第一の通気口に沿って、所定間隔で複数設け、第二の短形係止片は、第二の通気口に沿って、所定間隔で複数設けた請求項３に記載の放熱ユニット。
【請求項５】
熱交換体の仕切り板とは反対側の面を覆う通気性のカバーを設け、このカバーにおける、前記熱交換体の第一のフランジの、第二の通気口とは反対部分に対向する部分には、この第一のフランジを仕切り板側に押圧する第一の押圧部を設け、
前記カバーにおける、前記熱交換体の第二のフランジの、第一の通気口とは反対部分に対向する部分には、この第二のフランジを仕切り板側に押圧する第二の押圧部を設けた請求項１から４のいずれか一つに記載の放熱ユニット。
【請求項６】
カバーの第一の押圧部には、第一の短形係止片への固定を行う第一のカバー固定部を設け、カバーの第二の押圧部には、第二の短形係止片への固定を行う第二のカバー固定部を設けた請求項５に記載の放熱ユニット。
【請求項７】
本体ケースと、この本体ケースの少なくとも一面に設けた請求項１から６のいずれか一つに記載の放熱ユニットとを備えた電子機器。
【請求項８】
前面側に表示部を配置した本体ケースと、この本体ケースの前記表示部の背面側に配置した制御部と、この制御部の背面側の本体ケースの背面開口部に装着された請求項１から６のいずれか一つに記載の放熱ユニットとを備えた電子機器。
【請求項９】
本体ケースの背面開口部に、複数の放熱ユニットを配置した請求項８に記載の電子機器。
【発明の詳細な説明】
【技術分野】
【０００１】
本発明は、例えば屋外に設置される電子機器に活用される放熱ユニットおよびこれを組み込んだ電子機器に関するものである。
【背景技術】
【０００２】
電子機器、例えばテレビジョン受像機では、本体ケースの前面側に表示部が設けられ、またこの本体ケースの内部には前記表示部の制御部が設けられ、制御部の背面側は仕切り板で覆っていた。
【０００３】
また、この電子機器は、天井から吊り下げて使用される場合もあった（例えば特許文献１）。
【先行技術文献】
【特許文献】
【０００４】
【特許文献１】特開平７―３２２１７２号公報
【発明の概要】
【発明が解決しようとする課題】
【０００５】
近年のテレビジョン受像機は、その表示部が極めて大きくなってきたので、その表示効果の高さを利用し、これを広告装置として屋外に設置する取り組みも活発化されるようになっている。
【０００６】
この場合、屋外で使用するためには、本体ケース内に雨水が浸入しないように密閉構造をとることが必要となる。
【０００７】
そのために、この本体ケースの前面開口部は、前記表示部で、また背面開口部は仕切り板で、それぞれ密封する構成としていた。
【０００８】
しかしながら、この様な密閉構造をとると、本体ケース内部分となる表示部背面側や、制御部の放熱が十分に行えなくなる。
【０００９】
そこで、従来は本体ケースの背面側に設けた前記仕切り板を金属製とし、さらにこの仕切り板の内、外に金属製のフィンを複数設け、この状態で本体ケース内の空気を送風機で攪拌する構成としていた。
【００１０】
つまり、本体ケース内の空気を送風機で攪拌することで、先ず、本体ケース内の熱を、本体ケース内のフィンに伝達し、次に、熱伝導によりこのフィンから仕切り板に熱を移動させ、その後、熱伝導により、前記仕切り板から本体ケース外のフィンに熱を移動させ、次に、本体ケース外のフィンから屋外空気に放熱させる構成となっている。
【００１１】
しかしながら、このような放熱構造、つまり金属製仕切り板の内、外に金属製のフィンを複数設けた構造は、よく知られているように極めて重くなり、このように放熱構造が重くなると、テレビジョン受像機自体も重くなり、結果として屋外の高所に設置するのに好ましくないものとなる。
【００１２】
そこで、本発明は放熱ユニットおよびこれを用いた電子機器の軽量化を図るとともに、生産性を向上させること目的とするものである。
【課題を解決するための手段】
【００１３】
そして、この目的を達成するために、本発明の放熱ユニットは、電子機器の一つの面に装着され、この電子機器の内部と外部を仕切る仕切り板と、この仕切り板の前記電子機器の外部側に配置される熱交換体とを備え、前記仕切り板は、第一、第二の通気口を有し、前記熱交換体は、前記仕切り板の前記電子機器の外部側において、前記第一の通気口に連結される第一の連通部と、前記第二の通気口に連結される第二の連通部と、前記仕切り板の前記電子機器の外部側において、前記第一の連通部と第二の連通部間を連結するとともに、通気空間をおいて併走された複数の温風路体と、前記仕切り板の電子機器内側の空気を、前記第一の通気口から前記温風路体内に導入し、第二の通気口から前記仕切り板の電子機器内側に排出する送風機とを有し、前記第一の連通部は前記第一の通気口の外周方向に広がる第一のフランジを有し、前記第二の連通部は前記第二の通気口の外周方向に広がる第二のフランジを有し、前記第一のフランジと第二のフランジそれぞれの、前記第一、第二の通気口間部分で、前記併走された複数の温風路体間の通気空間に対応する部分には、この通気空間の前記仕切り板とは反対側から、前記熱交換体の固定操作を行う熱交換体固定部を設け、これにより所期の目的を達成するものである。
【発明の効果】
【００１４】
以上のごとく本発明の放熱ユニットは、電子機器の一つの面に装着され、この電子機器の内部と外部を仕切る仕切り板と、この仕切り板の前記電子機器の外部側に配置される熱交換体とを備え、前記仕切り板は、第一、第二の通気口を有し、前記熱交換体は、前記仕切り板の前記電子機器の外部側において、前記第一の通気口に連結される第一の連通部と、前記第二の通気口に連結される第二の連通部と、前記仕切り板の前記電子機器の外部側において、前記第一の連通部と第二の連通部間を連結するとともに、通気空間をおいて併走された複数の温風路体と、前記仕切り板の電子機器内側の空気を、前記第一の通気口から前記温風路体内に導入し、第二の通気口から前記仕切り板の電子機器内側に排出する送風機とを有し、前記第一の連通部は前記第一の通気口の外周方向に広がる第一のフランジを有し、前記第二の連通部は前記第二の通気口の外周方向に広がる第二のフランジを有し、前記第一のフランジと第二のフランジそれぞれの、前記第一、第二の通気口間部分で、前記併走された複数の温風路体間の通気空間に対応する部分には、この通気空間の前記仕切り板とは反対側から、前記熱交換体の固定操作を行う熱交換体固定部を設けたものであるので、放熱ユニットおよびこれを用いた電子機器の軽量化を図ることができる。
【００１５】
すなわち、本発明においては、従来のように電子機器の本体ケース内部にまで放熱用のフィンを設けなくても、前記本体ケース内部の熱を、送風機の送風により、本体ケース外の熱交換体へ移動させ、効果的に放熱させることができるので、放熱ユニットおよびこれを用いた電子機器の軽量化を図ることができるのである。
【００１６】
また、本発明において、前記熱交換体は、前記仕切り板の前記電子機器の外部側において、前記第一の通気口に連結される第一の連通部と、前記第二の通気口に連結される第二の連通部と、前記仕切り板の前記電子機器の外部側において、前記第一の連通部と第二の連通部間を連結するとともに、通気空間をおいて併走された複数の温風路体と、前記仕切り板の電子機器内側の空気を、前記第一の通気口から前記温風路体内に導入し、第二の通気口から前記仕切り板の電子機器内側に排出する送風機とを有し、前記第一の連通部は前記第一の通気口の外周方向に広がる第一のフランジを有し、前記第二の連通部は前記第二の通気口の外周方向に広がる第二のフランジを有し、前記第一のフランジと第二のフランジそれぞれの、前記第一、第二の通気口間部分で、前記併走された複数の温風路体間の通気空間に対応する部分には、この通気空間の前記仕切り板とは反対側から、前記熱交換体の固定操作を行う熱交換体固定部を設けたものであるので、生産性を向上することもできる。
【００１７】
すなわち、本発明においては、熱交換体を、仕切り板の第一、第二の通気口部分に固定する際には、前記併走する複数の温風路体の通気空間部分から、この通気空間部分に対応する第一のフランジ部分、および第二のフランジ部分の熱交換体固定部への固定操作を行うことができ、この点から生産性を向上することができるのである。
【図面の簡単な説明】
【００１８】
【図１】本発明の実施の形態１の電子機器の設置例を示す斜視図
【図２】同断面図
【図３】同断面図
【図４】同背面側の一部斜視図
【図５】同背面側の一部斜視図
【図６】同背面側の一部斜視図
【図７】同背面側の一部分解斜視図
【図８】同背面側の一部斜視図
【図９】同一部断面図
【図１０】同熱交換体の斜視図
【図１１】同熱交換体部分の断面図
【図１２】同熱交換体部分の断面図
【図１３】同熱交換体部分の断面図
【図１４】同熱交換体部分の背面図
【図１５】同カバーの斜視図
【図１６】同カバーの斜視図
【図１７】同カバー部分の断面図
【図１８】同カバー部分の背面図
【発明を実施するための形態】
【００１９】
以下、本実施の形態について図面を参照しながら説明する。
【００２０】
（実施の形態１）
図１において１は、電子機器の一例として用いた表示装置で、テレビジョン受像機としての機能以外に、屋外における広告用の表示も行えるようになっている。
【００２１】
したがって、この図１では、表示装置１は商店２の軒下３、つまり屋外に設置され、この屋外において横長、長方形状（矩形形状の一例）の表示部４が、前面側に表出した状態となっている。
【００２２】
前記表示装置１は、図２、図３に示すように、前面と背面が開口した横長、長方形状の本体ケース５と、この本体ケース５の前面開口部を覆うごとく、水密状態で配置された前記表示部４と、この本体ケース５の内部で、前記表示部４の背面側に配置されるとともに、前記表示部４の制御を行う制御部６と、前記本体ケース５の背面開口部を覆うとともに、前記本体ケース５の内部と外部を仕切る仕切り板７と、この仕切り板７の前記本体ケース５の外部側に配置された熱交換体８と、この熱交換体８の仕切り板７とは反対側の面を覆った通気性のカバー９とを備えている。
【００２３】
前記仕切り板７は、図４に示すように、長手方向の複数個所に、所定間隔で、第一、第二の通気口１０、１１を設けている。
【００２４】
これらの第一、第二の通気口１０、１１は、熱交換体８を連結する為のものであり、本実施形態では、図４に示すように、本体ケース５の上下方向に二つの熱交換体８を設けるので、これらの第一、第二の通気口１０、１１も二対設けている（本体ケース５の長手方向には、熱交換体８が複数設けられるが、図示はしていない）。
【００２５】
但し、これら上下の熱交換体８は、図５のごとく向きを変えているので、本体ケース５の上下に二つの第一の通気口１０、中央に二つの第二の通気口１１を設けている。
【００２６】
また、熱交換体８の仕切り板７とは反対側の面は、図６に示すように、上述した通気性のカバー９によって覆っている。
【００２７】
さて、前記熱交換体８は、図１０に示すように、前記仕切り板７の前記本体ケース５の外部側において、前記第一の通気口１０に連結される第一の連通部１２と、前記第二の通気口１１に連結される第二の連通部１３と、前記仕切り板７の前記本体ケース５の外部側において、前記第一の連通部１２と第二の連通部１３間を連結するとともに、通気空間１４をおいて併走された複数の温風路体１５と、前記仕切り板７の本体ケース５内側の空気を、前記第一の通気口１０から前記温風路体１５内に導入し、第二の通気口１１から前記仕切り板７の本体ケース５内側に排出する送風機１６（図２に示す）とを有している。
【００２８】
また、前記第一の連通部１２は、図１０に示すように、前記第一の通気口１０の外周方向に広がる第一のフランジ１７を有し、前記第二の連通部１３は前記第二の通気口１１の外周方向に広がる第二のフランジ１８を有している。
【００２９】
さて、図４、図７、図８に示すように、第一の通気口１０は、第一、第二の通気口１０、１１間方向（縦方向）の開口寸法よりも、それに直行する方向（横方向）の開口寸法を大きくした矩形状としている。また、第二の通気口１１は、第一、第二の通気口１０、１１間方向（縦方向）の開口寸法と、それに直行する方向（横方向）の開口寸法が同じ矩形状としているが、これも（縦方向）の開口寸法よりも、それに直行する方向（横方向）の開口寸法を大きくしても良い。
【００３０】
また、図４、図７〜図９に示すように、第一の通気口１０の第二の通気口１１側開口縁に、第一の長形係止片１９を設け、この第一の通気口１０の第一の長形係止片１９とは反対側の開口縁に、複数の第一の短形係止片２０を所定間隔で設けている。
【００３１】
この内、第一の長形係止片１９は図８、図９から理解されるように、第一の通気口１０側が開口した形状となっている。また、第一の短形係止片２０は第一の通気口１０とは反対側が開口した形状となっている。
【００３２】
さらに、図４、図７〜図９に示すように、第二の通気口１１の第一の通気口１０側開口縁に、第二の長形係止片２１を設け、この第二の通気口１１の第二の長形係止片２１とは反対側の開口縁に、第二の短形係止片２２を所定間隔で設けている。
【００３３】
この内、第二の長形係止片２１と、第二の短形係止片２２は図８、図９から理解されるように、第二の通気口１１側が開口した形状となっている。
【００３４】
したがって、前記仕切り板７の前記本体ケース５の外部側において、前記第一の通気口１０と前記第二の通気口１１に連結される熱交換体８を取付ける時には、図１１〜図１４のようにして取付ける。
【００３５】
先ず、図１１に示すように、図１０に示した熱交換体８の第二の連通部１３外周に設けた第二のフランジ１８を第二の長形係止片２１の開口内方向に挿入し、次に、熱交換体８の第一の連通部１２外周に設けた第一のフランジ１７を、この図１１に示すように、第一の長形係止片１９、第一の短形係止片２０間を通して第一の通気口１０側へと移動させる。
【００３６】
その後、図１２に示すように、第一のフランジ１７を、第一の長形係止片１９内の奥側（第一の通気口１０とは反対方向）へと移動させる。
【００３７】
そして、図１３、図１４に示すように、前記熱交換体８の第一のフランジ１７と第二のフランジ１８それぞれの、前記第一、第二の通気口１０、１１間部分で、前記併走された複数の温風路体１５間の通気空間１４に対応する部分から、その下方の第一の長形係止片１９、第二の長形係止片２１に向けてネジ２３をねじ込んで行く。
【００３８】
つまり、これらの第一の長形係止片１９、第二の長形係止片２１にはネジ孔（図示せず）が設けられているので、ここにネジ２３をねじ込んで行くと、図１３に示すように、ネジ２３の先端は、第一の長形係止片１９、第二の長形係止片２１を貫通し、前記熱交換体８の第一のフランジ１７を第一の通気口１０側へと押し付け、また前記熱交換体８の第二のフランジ１８を第二の通気口１１側へと押し付けることになる。
【００３９】
この時、第一のフランジ１７、第二のフランジ１８の仕切り板７の面には、パッキング（図示せず）が設けられているので、このパッキングの圧縮により、この部分の気密、水密状態が確保される。
【００４０】
次に、熱交換体８の仕切り板７とは反対側の面を覆う通気性のカバー９について説明する。
【００４１】
このカバー９は、図１５に示すように、前記熱交換体８の第一のフランジ１７の、第二の通気口１１とは反対部分に対向する部分に、この第一のフランジ１７を仕切り板７側に押圧する第一の押圧部２４を設けている。
【００４２】
また、このカバー９における、前記熱交換体８の第二のフランジ１８の、第一の通気口１０とは反対部分に対向する部分に、この第二のフランジ１８を仕切り板７側に押圧する第二の押圧部２５を設けている。
【００４３】
さらに、第一の押圧部２４の図９に示す第一の短形係止片２０に対向する部分には切り欠部２６が設けられ、さらに第二の押圧部２５の第二の短形係止片２２部分には、この第二の短形係止片２２が先端から挿入される貫通孔２７が設けられている。
【００４４】
このため、カバー９を、熱交換体８を覆うごとく装着する時には、先ずカバー９の貫通孔２７に第二の短形係止片２２を挿入させ、また切り欠部２６は第一の短形係止片２０に合わせ、図６の上方のカバー９なら下方へとずらせる。
【００４５】
そして、その状態で、カバー９の通気用開口部２８に、図１５、図１６のごとく設けたネジ挿入部２９からネジ３０を、図１７、図１８のごとく第一の短形係止片２０、第二の短形係止片２２側へとねじ込む。
【００４６】
つまり、これらの第一の短形係止片２０、第二の短形係止片２２にはネジ孔（図示せず）が設けられているので、ここにネジ３０をねじ込んで行くと、図１７（ネジ３０部分のカバー９を切り欠いて、理解の容易化を図っている）に示すように、ネジ３０の先端は、第一の短形係止片２０、第二の短形係止片２２を貫通し、前記熱交換体８の第一のフランジ１７を、第一の押圧部２４を介して第一の通気口１０側へと押し付け、また前記熱交換体８の第二のフランジ１８を、第二の押圧部２５を介して第二の通気口１１側へと押し付けることになる。
【００４７】
この時、第一のフランジ１７、第二のフランジ１８の仕切り板７の面には、上述のごとくパッキング（図示せず）が設けられているので、このパッキングの圧縮により、この部分の気密、水密状態が確保される。
【００４８】
そして、このようにして、前記熱交換体８の第一のフランジ１７は第一の通気口１０側へと、第一の長形係止片１９、第一の短形係止片２０の両側で押さえられ、また前記熱交換体８の第二のフランジ１８は、第二の通気口１１側へと、第二の長形係止片２１と、第二の短形係止片２２の両側で押し付けることになり、この結果として、この部分の気密、水密状態が確保されることになる。
【００４９】
つまり、本実施形態では、カバー９の第一の押圧部２４の切り欠部２６外周部分は、第一の短形係止片２０への固定を行う第一のカバー固定部となり、また、カバー９の第二の押圧部２５の貫通孔２７外周部分は、第二の短形係止片２２への固定を行う第二のカバー固定部となるのである。
【００５０】
以上のごとく、本実施形態においては、前記熱交換体８の仕切り板７への取付けは、第一のフランジ１７と第二のフランジ１８それぞれの、前記第一、第二の通気口１０、１１間部分で、前記併走された複数の温風路体１５間の通気空間１４に対応する部分から、その下方の第一の長形係止片１９、第二の長形係止片２１に向けてネジ２３をねじ込んで行くことで実行できる。
【００５１】
つまり、これらの第一の長形係止片１９、第二の長形係止片２１にはネジ孔（図示せず）が設けられているので、ここにネジ２３をねじ込んで行くと、図１３に示すように、ネジ２３の先端は、第一の長形係止片１９、第二の長形係止片２１を貫通し、前記熱交換体８の第一のフランジ１７を第一の通気口１０側へと押し付け、また前記熱交換体８の第二のフランジ１８を第二の通気口１１側へと押し付けることになる。
【００５２】
この時、第一のフランジ１７、第二のフランジ１８の仕切り板７の面には、パッキング（図示せず）が設けられているので、このパッキングの圧縮により、この部分の気密、水密状態が確保される。
【００５３】
また、カバー９の仕切り板７への取付けは、通気用開口部２８のネジ挿入部２９からネジ３０を、図１７のごとく第一の短形係止片２０、第二の短形係止片２２側へとねじ込むことで行うことが出来る。
【００５４】
つまり、これらの第一の短形係止片２０、第二の短形係止片２２にはネジ孔（図示せず）が設けられているので、ここにネジ３０をねじ込んで行くと、図１７（ネジ３０部分のカバー９を切り欠いて、理解の容易化を図っている）に示すように、ネジ３０の先端は、第一の短形係止片２０、第二の短形係止片２２を貫通し、前記熱交換体８の第一のフランジ１７を、第一の押圧部２４を介して第一の通気口１０側へと押し付け、また前記熱交換体８の第二のフランジ１８を、第二の押圧部２５を介して第二の通気口１１側へと押し付けることになる。
【００５５】
この時、第一のフランジ１７、第二のフランジ１８の仕切り板７の面には、上述のごとくパッキング（図示せず）が設けられているので、このパッキングの圧縮により、この部分の気密、水密状態が確保される。
【００５６】
そして、このようにして、前記熱交換体８の第一のフランジ１７は第一の通気口１０側へと、第一の長形係止片１９、第一の短形係止片２０の両側で押さえられ、また前記熱交換体８の第二のフランジ１８は、第二の通気口１１側へと、第二の長形係止片２１と、第二の短形係止片２２の両側で押し付けることになり、この結果として、この部分の気密、水密状態が確保されることになる。
【００５７】
したがって、極めて作業性の良いものとなるのである。
【００５８】
また、このようにして組み立てが完成した表示装置１は例えば、図１のごとく屋外で広告版として活用されることになる。
【００５９】
この時の本体ケース５内では、表示部４と制御部６の発熱が発生するが、送風機１６を駆動すれば図２のごとく本体ケース５内の熱気は、第一の通気口１０から熱交換体８の温風路体１５へと送られる。
【００６０】
この温風路体１５は仕切り板７の外側に設けられたものであり、ここには図３のごとくカバー９から進入した屋外空気が流れているので、前記本体ケース５内の熱気は、温風路体１５で冷却され、次には、図２のごとく、冷風として表示部４や制御部６に吹きつけられることになる。
【００６１】
したがって、密閉された本体ケース５内は十分に冷却されることになるのである。
【産業上の利用可能性】
【００６２】
以上のごとく本発明の放熱ユニットは、従来のように電子機器の本体ケース内部にまで放熱用のフィンを設けなくても、前記本体ケース内部の熱を、送風機の送風により、本体ケース外の熱交換体へ移動させ、効果的に放熱させることができるので、放熱ユニットおよびこれを用いた電子機器の軽量化を図ることができる。
【００６３】
また、本発明においては、熱交換体を、仕切り板の第一、第二の通気口部分に固定する際には、前記併走する複数の温風路体の通気空間部分から、この通気空間部分に対応する第一のフランジ部分、および第二のフランジ部分の熱交換体固定部への固定操作を行うことができ、この点から生産性を向上することができるのである。
【００６４】
したがって、屋外設置タイプの電子機器にも、広く活用されることが期待される。
【符号の説明】
【００６５】
１    表示装置
２    商店
３    軒下
４    表示部
５    本体ケース
６    制御部
７    仕切り板
８    熱交換体
９    カバー
１０  第一の通気口
１１  第二の通気口
１２  第一の連通部
１３  第二の連通部
１４  通気空間
１５  温風路体
１６  送風機
１７  第一のフランジ
１８  第二のフランジ
１９  第一の長形係止片
２０  第一の短形係止片
２１  第二の長形係止片
２２  第二の短形係止片
２３  ネジ
２４  第一の押圧部
２５  第二の押圧部
２６  切り欠部
２７  貫通孔
２８  通気用開口部
２９  ネジ挿入部
３０  ネジ
【図１】
2013115228.tif 000003
【図２】
2013115228.tif 000004
【図３】
2013115228.tif 000005
【図４】
2013115228.tif 000006
【図５】
2013115228.tif 000007
【図６】
2013115228.tif 000008
【図７】
2013115228.tif 000009
【図８】
2013115228.tif 000010
【図９】
2013115228.tif 000011
【図１０】
2013115228.tif 000012
【図１１】
2013115228.tif 000013
【図１２】
2013115228.tif 000014
【図１３】
2013115228.tif 000015
【図１４】
2013115228.tif 000016
【図１５】
2013115228.tif 000017
【図１６】
2013115228.tif 000018
【図１７】
2013115228.tif 000019
【図１８】
2013115228.tif 000020